(57)【要約】      （修正有）【課題】除草を効果的に行うことができ、水注入や蒸気の放出が容易にでき、かつ安らぎと右脳の活性化を図ることができる除草用袋体を提供する。【解決手段】樹脂材からなる袋体部１Ａと、袋体部１Ａの表面に設けられる絵画２Ａと、水注入及び蒸気の送出を行う水注入蒸気送出バルブ３Ａとを備え、袋体部１Ａに水を注入し、雑草が生え繁っている地面に置き、袋体部１Ａ内の水が太陽光等により加熱されるこよにより袋体部１Ａ内の水から発生する蒸気が袋体部１Ａに設けられた蒸気は通すが水は通さないフィルタから放出され、地表面に露出している雑草を枯らすことのできる除草用袋体１００。【選択図】図１
2012223126.tif 000002
【特許請求の範囲】
【請求項１】
被除草体の上方に被覆されて前記被除草体の除草を行うための除草用袋体であって、該除草用袋体は、柔軟性，耐熱性，耐久性，耐強度性のある樹脂材からなる袋体部と、この袋体部の表面に固定される浮世絵や印象画のような絵画と、前記袋体部の内部に充填される水の注入及び蒸気送出を行う水注入蒸気送出バルブとからなることを特徴とする浮世絵等の絵画及び水注入蒸気送出バルブを有する除草用袋体。
【発明の詳細な説明】
【技術分野】
【０００１】
本発明は、被除草体の草を枯らして除去する除草用袋体に係り、柔軟性，耐熱性，耐久性，耐強度性等の各種の特性を有する樹脂材の袋体部内に水を入れると共に水の加熱によって生ずる蒸気を円滑に放出でき、かつ袋体部の目視により安らぎと右脳の活性化を図ることができる浮世絵等の絵画及び水注入蒸気送出バルブを有する除草用袋体に関する。
【背景技術】
【０００２】
除草を必要とする草地は各所に数多く存在し、この除草を実施しないと色々の不具合が発生する。そのため、従来より各種の除草体や除草剤が使用されている。この除草体や除草剤としては機械的や化学的に被除草体を処理して除草するものが大部分であり、これ等に関する数多くの装置や除草剤や除草方法が開示されている。一方、本発明に類似する公知技術としては、例えば、「特許文献１」が挙げられる。
【先行技術文献】
【特許文献】
【０００３】
【特許文献１】特許番号第２７９１８１１号（第２図）
【発明の概要】
【発明が解決しようとする課題】
【０００４】
「特許文献１」の「特許番号第２７９１８１１号」の「除草等に用いる水泡状重りシート」は除草を目的とするシート及びこの製造装置等に関するものであり、比較的本発明と類似する点もあるが、構成において大きく相違する。即ち、このシートは着色した二枚のプラスチックを用い、その「第２図」に示すように多数の小突出部を形成するものであり、１平方メートル程度の単位区画内に独立した多数の小水泡重りを設け、前記小突出部に注入されるものは水や粘土やその他の高比重物質粉を挿入しているものであり、かなり限定した内容のものからなる。
【０００５】
以上の内容の「特許文献１」に対し、後に説明する本発明は各種の特性を有する樹脂材料からなる単純形状の袋体部とこの中に注水される水の注入や蒸気送出等に関する手段とからなり、被除草体に与える力のかなり大きな重量物からなり、その単純構造のためその袋体部の製作も容易である。また、水の注入が容易であり、太陽熱等による加熱によって生ずる蒸気の送出も容易にでき、内部圧力の上昇を低減できる大きな効果を上げることができるものからなる。更に、袋体部の表面には浮世絵や印象画等の絵画が設けられている。この浮世絵等の絵画は特別な色彩の配列からなることが従来から知られており、この絵画を見ることにより人体の右脳が刺激され安らぎと右脳の活性化を図ることができると言われている。
【０００６】
以上のように、本発明は、除草を効果的に行うことができる簡便構造の袋体からなり、更に水注入や蒸気の放出が容易にでき、かつ安らぎと右脳の活性化を図ることができる浮世絵等の絵画を有する除草用袋体を提供することを目的とする。
【課題を解決するための手段】
【０００７】
本発明は、以上の目的を達成するために、請求項１の発明は、被除草体の上方に被覆されて前記被除草体の除草を行うための除草用袋体であって、該除草用袋体は、柔軟性，耐熱性，耐久性，耐強度性のある樹脂材からなる袋体部と、この袋体部の表面に固定される浮世絵や印象画のような絵画と、前記袋体部の内部に充填される水の注入及び蒸気送出を行う水注入蒸気送出バルブとからなることを特徴とする。
【発明の効果】
【０００８】
本発明の請求項１の浮世絵等の絵画及び水注入蒸気送出バルブを有する除草用袋体によれば、袋体部は単純構造の袋体からなり、製作も容易であり、水の注入も特種形状のバルブを設けられることにより、容易にでき、加熱によって生ずる蒸気の放出も容易に、かつ確実にできる。更に、絵画の存在により、単なる除草の効果に限定せず安らぎと右脳の活性化が図られる大きな効果を上げることができる。
【図面の簡単な説明】
【０００９】
【図１】本発明の浮世絵等の絵画及び水注入蒸気送出バルブを有する除草用袋体の全体構造を示す模式的斜視図。
【図２】図１のＡ−Ａ線断面図。
【図３】袋体部に設けられている水注入蒸気送出バルブの上面図（ａ）及び（ａ）のＢ−Ｂ線拡大断面図（ｂ）。
【図４】本発明の浮世絵等の絵画及び水注入蒸気送出バルブを有する除草用袋体の使用方法の一例を示す模式的断面図。
【発明を実施するための形態】
【００１０】
以下、本発明の浮世絵等の絵画及び水注入蒸気送出バルブを有する除草用袋体の実施の形態を図面を参照して詳述する。
【実施例１】
【００１１】
図１及び図２に示すように、本発明の浮世絵等の絵画及び水注入蒸気送出バルブを有する除草用袋体１００は、樹脂材からなる袋体部１Ａと、この袋体部１Ａの表面に設けられる（固定される）浮世絵（図示）や印象画（図示せず）のような絵画２Ａと、水注入及び蒸気の送出を行う水注入蒸気送出バルブ３Ａと、袋体部１Ａ内に充填注入される水４Ａ等とからなる。なお、袋体部１Ａは前記のように樹脂材からなるが、使用目的から柔軟性，耐熱性，耐久性，耐強度性のあるものが用いられ、一例としてターボリンのようなものが使用されるが勿論これに限定するものではない。また、袋体部１Ａの大きさは、例えば、２ｍ×２ｍ位のものが使用され易い形状のものとして望まれているが、勿論これに限定するものではない。
【００１２】
袋体部１Ａ内に注入される水４Ａは通常の水道水でよく、特別なものを必要としない。
【００１３】
浮世絵等の絵画２Ａは勿論図示のものに限定するものではなく、公然使用の可能なすべてのものが適用される。
【００１４】
次に、水注入蒸気送出バルブ３Ａについて図３によりやや詳しく説明する。
この水注入蒸気送出バルブ３Ａは大別して次の構成要素からなる。
袋体部１Ａに係着固持されるバルブ本体１とこれに挿脱可能に挿設される挿脱式バルブ体２とからなり、本実施例では挿脱式バルブ体２はバルブ本体１にフレキシブル部材１９により連結されると共に図３（ｂ）に示すように挿脱式バルブ体２を挿脱するための把持部２０が設けられているが、勿論これに限定するものではない。
【００１５】
バルブ本体１は、図３に示すように丸型のものからなり、図の上面側に鍔部３とこの下面に連設される縮径部４と更にその下面に形成される係着部５とこの係着部５に一側面側を一体的に固定されて他側面側を係着部５から離脱している板状逆止弁６を形成するものからなり、内部には板状逆止弁６とほぼ同一の内径の孔７を形成するものからなる。また、板状逆止弁６の中心には小孔６ａが形成されている。なお、図３（ｂ）に示すように鍔部３と係着部５との間には袋体部１Ａが嵌り込み縮径部４により保持される。
【００１６】
挿脱式バルブ体２は、バルブ本体１の孔７に挿脱可能な外径の円筒体８からなり、円筒体８は本実施例ではフレキシプル部材１９に一体的に取り付けられ、フレキシブル部材１９の下面から突出して形成されている。なお、この円筒体８には穴９が形成され、穴９は図の上方側に開口部１０を形成し下方（底面）側に閉止部１１を形成するものからなる。なお、この閉止部１１の中心には小孔１２が設けられている。
【００１７】
穴９には本実施例ではゴアテックス（登録商標）からなるフィルタ１３が閉止部１１の上面に当接して配設されている。なお、このフィルタ１３は円形状で薄肉のものからなる。また、穴９にはフィルタ挿え具１４が挿脱可能に挿入され、フィルタ挿え具１４の下面はフィルタ１３の上面に当接して配置される。このフィルタ挿え具１４のリング状のもので中央に貫通孔１５を形成するものからなる。
【００１８】
本実施例では、フィルタ１３はゴアテックス（登録商標）からなる。このゴアテックスはアメリカのＷＬゴア＆アソシエイツ社の製造販売による防水透湿性のもので、この名前は登録商標である。具体的にはポリテトラフルオロエチレンを延伸加工したフィルムとポリウレタンポリマーを複合化したものからなる。なお、１平方メートルに１４億の微細な孔が形成される。その機能として蒸気は通すが水は通さない性質のものからなる。
なお、この詳細内容はホームページ等に掲載されている。
【００１９】
次に、この水注入蒸気送出バルブ３Ａの使用方法やその作用を図３により説明する。
まず、袋体部１Ａにバルブ本体１を係着固定する。これによりフレキシブル部材１９を介しての挿脱式バルブ体２もセットされる。水４Ａを注入する場合には挿脱式バルブ体２をバルブ本体１から脱した状態で行う。水４Ａが袋体部１Ａの空間部に充填されたら挿脱式バルブ体２をバルブ本体１内に挿入して取り付け作業を終了する。
【００２０】
図４に示すように、袋体部１Ａがその目的の場所に置かれ、太陽光等により加熱されると袋体部１Ａ及び袋体部１Ａ内の水４Ａが加熱され水４Ａから蒸気に発生する。なお、袋体部１Ａ内の水４Ａそのものは水注入蒸気送出バルブ３Ａから外部に排出しようとしてもバルブ本体１に設けられている板状逆止弁８により逆流が防止されて送出されない。
【００２１】
袋体部１Ａに発生した蒸気は、まずバルブ本体１の板状逆止弁６の小孔６ａから抜け出し、挿脱式バルブ体２の閉止部１１の小孔１２を通ってフィルタ１３に当る。フィルタ１３はゴアテックス（登録商標）からなるため蒸気はフィルタ１３を通過して円筒体８の穴９から外部に放出されて送出される。
【００２２】
袋体部１Ａを収納する場合には水注入蒸気送出バルブ３Ａを袋体部１Ａから取り外すことにより容易に行われる。
以上のように、水注入蒸気送出バルブ３Ａは水４Ａの逆流による送出が完全に防止されると共に蒸気が円滑に外部に送出されるため、常に袋体部１Ａは常圧の状態で保持され、その使用目的を達成することができ、勿論破壊等も生じない。
また、フィルタ１３は交換が容易にできるため、取折交換することにより水注入蒸気送出バルブ３Ａは本来の機能を常に発揮することができる。また、挿脱式バルブ体２のバルブ本体１への挿脱はフレキシブル部材１９の把持部２０により容易に行われる。
【００２３】
図４は浮世絵等の絵画及び水注入蒸気送出バルブを有する除草用袋体１００の使用状態の一例を示す図である。図示のように地面５Ａには多くの雑草６Ａが生え繁っている。この雑草６Ａは地中７Ａに根８Ａを張っていると共に根８Ａから成長した草部９Ａが地表面に露出している状態のものからなる。
本発明の浮世絵等の絵画及び水注入蒸気送出バルブ３Ａを有する除草用袋体１００は主として地表面に露出している草部９Ａを枯らして除草する機能を有するものであり、図示のように草部９Ａを覆って、かつ草部９Ａを押圧する状態で使用される。
【００２４】
この浮世絵等の絵画及び水注入蒸気送出バルブを有する除草用袋体１００に太陽光１０Ａが当ると袋体部１Ａが加熱されることにより内部の水４Ａが加熱され、結果として草部９Ａが加熱され、かつ太陽光１０Ａから遮断されると共に袋体部１Ａの機能によって次第に枯れ始め、ある時間を経過すると完全に枯れて除草されることになる。
以上のように、浮世絵等の絵画及び水注入蒸気送出バルブを有する除草用袋体１００を雑草６Ａ上に置くだけの簡単な作業により雑草６Ａをほぼ完全に除草することができる。
【００２５】
しかしながら、雑草６Ａには依然として根８Ａがあるため、時間と共に再び草部９Ａが根８Ａから成長して雑草６Ａが形成される。従って、完全な除草は根８Ａを枯らす必要があり、本発明の浮世絵等の絵画及び水注入蒸気送出バルブを有する除草用袋体１００も比較的浅い根８Ａを枯らす効果もあるが深い根８Ａを枯らすことが出来ず根８Ａを完全に枯らすためには図示のように銅体１１Ａを根８Ａの近傍に埋設することが必要になる。なお、この銅体１１Ａの構造やその方法についてはノウハウであり、ここでは説明を省略する。
【００２６】
本発明の水注入蒸気送出バルブ３Ａは以上の構造及び作用からなるが、その水注入蒸気送出バルブ３Ａの内容は以上の説明に限定されるものではなく、同一技術的範疇のものが適用されることは勿論である。
【産業上の利用可能性】
【００２７】
本発明浮世絵等の絵画及び水注入蒸気送出バルブを有する除草用袋体１００は前記の説明の内容からなるが、除草を必要とするすべての場所に適用され、除草される草の種類も多種類であり、かつこのものの構造は簡便安価なものであり製作も容易であり、取扱性もよく、安らぎと右脳の活性化を図ることができ、その利用範囲は広い。
【符号の説明】
【００２８】
１      バルブ本体
１Ａ    袋体部
２      挿脱式バルブ体
２Ａ    絵画
３      鍔部
３Ａ    水注入蒸気送出バルブ
４      縮径部
４Ａ    水
５      係着部
５Ａ    地面
６      板状逆止弁
６ａ    小孔
６Ａ    雑草
７      孔
７Ａ    地中
８      円筒体
８Ａ    根
９      穴
９Ａ    草部
１０    開口部
１０Ａ  太陽光
１１    閉止部
１１Ａ  銅体
１２    小孔
１３    フィルタ
１４    フィルタ挿え具
１５    貫通孔
１９    フレキシブル部材
２０    把持部
１００  浮世絵等の絵画及び水注入蒸気送出バルブを有する除草用袋体
【図１】
2012223126.tif 000003
【図２】
2012223126.tif 000004
【図３】
2012223126.tif 000005
【図４】
2012223126.tif 000006